(57)【要約】【課題】目的地が設定されていないと目的地が駐車禁止であるか否かの報知をできない。【解決手段】所定以上の頻度で車両が駐車される道路を特定し、前記道路に前記車両を駐車した場合における前記車両の前記道路までの走行軌跡を示す駐車時走行軌跡を取得し、前記駐車時走行軌跡と前記車両の現在の走行軌跡とに基づいて、前記車両が前記道路に向けて走行しているか否かを判定し、前記車両が前記道路に向けて走行していると判定された場合、前記道路に前記車両を駐車させる際に当該道路が駐車禁止となっているか否かを判定し、前記道路が駐車禁止となっていると判定された場合、当該道路が駐車禁止となることを案内する。【選択図】図５
2010210479.tif 000002
【特許請求の範囲】
【請求項１】
所定以上の頻度で車両が駐車される道路を特定する駐車道路特定手段と、
前記道路に前記車両を駐車した場合における前記車両の前記道路までの走行軌跡を示す駐車時走行軌跡を取得する駐車時走行軌跡取得手段と、
前記駐車時走行軌跡と前記車両の現在の走行軌跡とに基づいて、前記車両が前記道路に向けて走行しているか否かを判定する走行予測手段と、
前記車両が前記道路に向けて走行していると判定された場合、前記道路に前記車両を駐車させる際に当該道路が駐車禁止となっているか否かを判定する駐車禁止判定手段と、
前記道路が駐車禁止となっていると判定された場合、当該道路が駐車禁止となることを案内する駐車禁止案内手段と、
を備える走行支援装置。
【請求項２】
前記駐車禁止案内手段は、前記道路が駐車禁止となっていると判定された場合、前記道路の周辺に存在する、前記道路と同一属性の他の道路が駐車禁止となることを案内する、
請求項１に記載の走行支援装置。
【請求項３】
前記駐車道路特定手段は、駐車禁止の状態と駐車許可の状態とが時刻によって変動する道路のうち、所定以上の頻度で車両が駐車される道路を特定する、
請求項１または請求項２のいずれかに記載の走行支援装置。
【請求項４】
前記駐車禁止判定手段は、前記車両の現在位置から前記道路までの距離が所定距離以下になった場合に、現在時刻と前記道路への到達予測時刻とのいずれかまたは双方において前記道路が駐車禁止であるか否かを判定する、
請求項３に記載の走行支援装置。
【請求項５】
前記駐車道路特定手段は、前記道路に前記車両が駐車された駐車時刻を特定し、
前記駐車禁止判定手段は、前記駐車時刻が、前記現在時刻と前記到達予測時刻とのいずれかまたは双方と異なる場合に、前記道路が駐車禁止であるか否かを判定する、
請求項４に記載の走行支援装置。
【請求項６】
前記駐車道路特定手段は、前記道路に前記車両が駐車していた駐車期間を特定し、
前記駐車禁止判定手段は、前記現在時刻と前記到達予測時刻とのいずれかまたは双方から、前記駐車期間が経過するまでの間に前記道路が駐車禁止となるか否かを判定する、
請求項４または請求項５のいずれかに記載の走行支援装置。
【請求項７】
所定以上の頻度で車両が駐車される道路を特定する駐車道路特定工程と、
前記道路に前記車両を駐車した場合における前記車両の前記道路までの走行軌跡を示す駐車時走行軌跡を取得する駐車時走行軌跡取得工程と、
前記駐車時走行軌跡と前記車両の現在の走行軌跡とに基づいて、前記車両が前記道路に向けて走行しているか否かを判定する走行予測工程と、
前記車両が前記道路に向けて走行していると判定された場合、前記道路に前記車両を駐車させる際に当該道路が駐車禁止となっているか否かを判定する駐車禁止判定工程と、
前記道路が駐車禁止となっていると判定された場合、当該道路が駐車禁止となることを案内する駐車禁止案内工程と、
を含む走行支援方法。
【請求項８】
所定以上の頻度で車両が駐車される道路を特定する駐車道路特定機能と、
前記道路に前記車両を駐車した場合における前記車両の前記道路までの走行軌跡を示す駐車時走行軌跡を取得する駐車時走行軌跡取得機能と、
前記駐車時走行軌跡と前記車両の現在の走行軌跡とに基づいて、前記車両が前記道路に向けて走行しているか否かを判定する走行予測機能と、
前記車両が前記道路に向けて走行していると判定された場合、前記道路に前記車両を駐車させる際に当該道路が駐車禁止となっているか否かを判定する駐車禁止判定機能と、
前記道路が駐車禁止となっていると判定された場合、当該道路が駐車禁止となることを案内する駐車禁止案内機能と、
をコンピュータに実現させる走行支援プログラム。
【発明の詳細な説明】
【技術分野】
【０００１】
本発明は、走行支援装置、走行支援方法および走行支援プログラムに関する。
【背景技術】
【０００２】
従来、駐車禁止地域に車両が駐車されることを防止するための各種の技術が知られている。例えば、特許文献１においては、目的地が設定された場合、当該目的地が駐車禁止地域に該当するか否かを判定し、目的地が駐車禁止地域に該当する場合には目的地が駐車禁止地域である旨を報知する。
【先行技術文献】
【特許文献】
【０００３】
【特許文献１】特開２００８−２０２１０号公報
【発明の概要】
【発明が解決しようとする課題】
【０００４】
従来の技術は、目的地が駐車禁止地域に該当するか否かを判定する構成であるため、予め目的地が設定されていなければ報知を行うことができない。しかし、ナビゲーション装置のユーザが頻繁に訪れる目的地まで走行するために目的地を設定することはまれである。従って、従来の技術においては、一般のユーザが日常的に利用する経路を走行する際に、目的地が駐車禁止地域であるか否かの報知を行うことができないことが多い。
【０００５】
本発明は、上記課題に鑑みてなされたものであり、走行予定経路が設定されていなくても駐車禁止地域に車両が駐車されることを防止することを目的とする。
【課題を解決するための手段】
【０００６】
上記の目的を達成するため、本発明においては、所定以上の頻度で車両が駐車される道路（以下、日常駐車道路と呼ぶ）に車両が駐車された場合に当該日常駐車道路までの車両の走行軌跡を示す駐車時走行軌跡を取得し、当該駐車時走行軌跡と車両の現在の走行軌跡とに基づいて車両が日常駐車道路に向けて走行しているか否かを判定する。そして、車両が日常駐車道路に向けて走行していると判定された場合、日常駐車道路に車両を駐車させる際に日常駐車道路が駐車禁止となっているか否かを判定し、日常駐車道路が駐車禁止となっていると判定された場合には日常駐車道路が駐車禁止となることを案内する。
【０００７】
すなわち、日常駐車道路に車両を駐車させた場合の過去の走行軌跡と現在の走行軌跡との類似度に基づいて車両が日常駐車道路に駐車するか否かを推定する。そして、日常駐車道路に車両を駐車させる際に当該日常駐車道路が駐車禁止となる場合にはその旨を案内する。従って、走行予定経路や目的地が設定されていない状態で車両が走行している状態であっても、日常駐車道路に車両を駐車させる際に当該日常駐車道路が駐車禁止になるのであればその旨が案内される。このため、運転者が当該案内に従って日常駐車道路への駐車を避けることによって駐車禁止地域に車両が駐車されることを防止することができる。
【０００８】
さらに、日常駐車道路が駐車禁止ではない状態において運転者が日常的に当該日常駐車道路に車両を駐車させる場合、当該運転者は、当該日常駐車道路が駐車禁止となり得ることや駐車禁止となる時間帯を知らないことが考えられる。しかし、本発明においては、所定以上の頻度で車両が駐車される日常駐車道路が駐車禁止となるか否かを判定する構成を採用しており、運転者が日常駐車道路に車両を駐車させる際に駐車禁止となるのであればその旨が案内されるため、日常駐車道路が駐車禁止であるか否かを運転者が熟知していなくても、駐車禁止の状態の日常駐車道路に車両を駐車させることを防止することができる。
【０００９】
ここで、駐車道路特定手段は、所定以上の頻度で車両が駐車される日常駐車道路を特定することができればよく、車両が駐車された道路の中で基準と比較して駐車頻度が相対的に高い道路を日常駐車道路として特定することができればよい。従って、例えば、所定の期間（例えば、車両の走行軌跡の取得開始から現在までの期間や単位期間）内に車両が駐車した全道路の中で駐車回数が他の道路よりも多い道路や所定の回数よりも多数回駐車された道路を日常駐車道路とすることが可能である。また、道路は予め決められた所定区間毎に定義されればよく、地図情報にて定義された道路区間や同一属性の連続する道路区間毎に駐車禁止か否かを特定する構成とすればよい。
【００１０】
駐車時走行軌跡取得手段は、車両が日常駐車道路に駐車した場合の当該日常駐車道路までの走行軌跡を示す駐車時走行軌跡を取得することができればよい。すなわち、車両において走行軌跡を取得して所定の記録媒体に記録し続ける構成とし、車両が任意の道路に駐車した時点でそれまでの走行軌跡を当該駐車位置が存在する道路に対応づけて記録する構成としておく。そして、車両が日常駐車道路に向かっているか否かを推定する段階で当該日常駐車道路に対応づけて記録媒体に記録されている走行軌跡を駐車時走行軌跡として取得すればよい。なお、駐車時走行軌跡は、車両が日常駐車道路に駐車した場合に車両が走行した道路を示していればよい。従って、例えば、車両のエンジンを駆動するとともに走行軌跡を記録するナビゲーション装置の電源スイッチをオンにして走行を開始した後、エンジンの停止とともに当該ナビゲーション装置の電源スイッチをオフにして車両の走行を終了するまでの間に走行した道路の推移等によって構成することができる。また、駐車時走行軌跡は、所定以上の頻度で車両が駐車される日常駐車道路についての走行軌跡であるため、駐車された道路が日常駐車道路であったか否かを記録媒体に記録する時点で特定して記録媒体に記録していってもよいし、全走行軌跡を記録媒体に記録して記録媒体を参照する際に所定以上の頻度で駐車された道路についての情報を抽出して駐車時走行軌跡としてもよい。
【００１１】
走行予測手段は、駐車時走行軌跡と現在の走行軌跡とに基づいて車両が日常駐車道路に向けて走行しているか否かを判定することができればよい。すなわち、駐車時走行軌跡と現在の走行軌跡との類似度に基づいて車両が現在日常駐車道路に向かって走行しているか否かを判定することができればよい。現在の走行軌跡は車両が走行している際に逐次取得すればよい。
【００１２】
駐車禁止判定手段は、車両が日常駐車道路に向けて走行していると判定された場合に、日常駐車道路に車両を駐車させる際に当該日常駐車道路が駐車禁止となっているか否かを判定することができればよい。すなわち、車両を日常駐車道路に駐車させると仮定したときに所定以上の確率あるいは頻度で当該日常駐車道路が駐車禁止となっているか否かを判定することができればよい。例えば、車両の現在位置から日常駐車道路までの距離が所定距離以下になった場合に、現在時刻において日常駐車道路が駐車禁止であるか否かを判定する構成としてもよい。また、車両の現在位置から日常駐車道路までの距離が所定距離以下になった場合に、日常駐車道路への到達予測時刻において日常駐車道路が駐車禁止であるか否かを判定する構成としてもよい。むろん、現在時刻と到達予測時刻の双方において日常駐車道路が駐車禁止であるか否かを判定してもよい。
【００１３】
駐車禁止案内手段は、日常駐車道路が駐車禁止となっていると判定された場合、日常駐車道路が駐車禁止となることを案内することができればよく、案内は日常駐車道路の定義に対応する所定区間毎に行われる構成に限定されない。例えば、日常駐車道路が駐車禁止であることを案内する際に、日常駐車道路の周辺に存在する他の道路であって、日常駐車道路と同一属性の他の道路も駐車禁止となることを案内してもよい。すなわち、道路に対して属性が対応づけられるとともに、当該属性に応じて駐車禁止あるいは駐車許可が決定される構成において、日常駐車道路が駐車禁止の場合には、日常駐車道路と同一属性の他の道路も駐車禁止であるため、その旨を案内することによって日常駐車道路の周囲の駐車禁止道路に車両が駐車されることを防止することが可能である。
【００１４】
さらに、駐車禁止の状態と駐車許可の状態とが時刻によって変動する道路から日常駐車道路を特定する構成としてもよい。この構成によれば、日常駐車道路において駐車が許可された時刻に当該日常駐車道路に対して運転者が日常的に車両を駐車させている場合であっても、日常駐車道路が駐車禁止となる状態で運転者が日常駐車道路に車両を駐車させようとすると駐車禁止である旨が案内される。従って、運転者が当該日常駐車道路の駐車禁止時刻を熟知していない場合であっても、運転者が駐車禁止状態の日常駐車道路に車両を駐車させることを防止することができる。
【００１５】
さらに、日常駐車道路に車両が駐車された駐車時刻を特定し、当該駐車時刻が現在時刻と異なる場合に、日常駐車道路が駐車禁止であるか否か判定する構成としてもよいし、当該駐車時刻が到達予測時刻と異なる場合に、日常駐車道路が駐車禁止であるか否か判定する構成としてもよい。むろん、現在時刻と到達予測時刻の双方と異なる場合に日常駐車道路が駐車禁止であるか否かを判定してもよい。すなわち、駐車時刻は、駐車が許可された状態の日常駐車道路に対して運転者が車両を駐車させた時刻であると推定されるため、現在時刻や到達予測時刻が駐車時刻と異なる場合には、現在時刻や到達予測時刻において日常駐車道路への駐車が禁止されている可能性がある。従って、このような場合に日常駐車道路に対する駐車の可否を判定することで、運転者が駐車禁止状態の日常駐車道路に車両を駐車させることを防止することができる。なお、駐車時刻は、運転者が日常駐車道路に車両を駐車させた時刻の代表値（平均値、中央値など）によって決定してもよいし、運転者が日常駐車道路に車両を複数回駐車させた場合の各時刻であってもよいし、車両を複数回駐車させた場合の各時刻から特定される時間帯であってもよい。
【００１６】
さらに、日常駐車道路に車両が駐車していた駐車期間を特定し、現在時刻から当該駐車期間が経過するまでの間に日常駐車道路が駐車禁止となるか否かを判定する構成としてもよいし、到達予測時刻から当該駐車期間が経過するまでの間に日常駐車道路が駐車禁止となるか否かを判定する構成としてもよい。むろん、現在時刻と到達予測時刻の双方から駐車期間が経過するまでの間に日常駐車道路が駐車禁止となるか否かを判定してもよい。すなわち、駐車期間は、日常駐車道路において運転者が車両の駐車を継続した期間であるため、運転者が今後、日常駐車道路に車両を駐車させる場合においても車両の駐車が同等の期間継続される可能性が高い。従って、現在時刻や到達予測時刻から駐車期間が経過するまでの間に日常駐車道路が駐車許可の状態から駐車禁止の状態へとなり得るか否かを判定することで、駐車中に駐車禁止の状態へと変動する日常駐車道路に運転者が車両を駐車させることを防止することができる。なお、駐車期間は、運転者が日常駐車道路において車両の駐車を継続した期間の代表値（平均値、中央値など）によって決定してもよいし、運転者が日常駐車道路に車両を複数回駐車させた場合の各時刻から特定してもよい。
【００１７】
なお、本発明のように、所定以上の頻度で車両が駐車される日常駐車道路が駐車禁止となるか否かを判定する手法は、この処理を行う方法やプログラムとしても適用可能である。また、以上のような走行支援装置、方法、プログラムは、単独の装置として実現される場合もあれば、複数の装置として実現される場合もある。また、車両に備えられる各部と共有の部品を利用して実現される場合もあれば、車両に搭載されない各部と連携して実現される場合もあり、各種の態様を含むものである。また、一部がソフトウェアであり一部がハードウェアであったりするなど、適宜、変更可能である。さらに、走行支援装置を制御するプログラムの記録媒体としても発明は成立する。むろん、そのソフトウェアの記録媒体は、磁気記録媒体であってもよいし光磁気記録媒体であってもよいし、今後開発されるいかなる記録媒体においても全く同様に考えることができる。
【図面の簡単な説明】
【００１８】
【図１】走行支援装置を示すブロック図である。
【図２】駐車道路記憶処理を示すフローチャートである。
【図３】日常駐車道路特定処理を示すフローチャートである。
【図４】走行支援処理を示すフローチャートである。
【図５】（５Ａ）は車両が道路上に駐車した状態を模式的に示す図である。（５Ｂ）は車両が日常駐車道路に接近した状態を模式的に示す図である。
【発明を実施するための形態】
【００１９】
ここでは、下記の順序に従って本発明の実施の形態について説明する。
（１）走行支援装置の構成：
（２）駐車道路記憶処理：
（３）日常駐車道路特定処理：
（４）走行支援処理：
（５）他の実施形態：
【００２０】
（１）走行支援装置の構成：
図１は、車両に搭載された走行支援装置の構成を示すブロック図である。本実施形態において走行支援装置は、ナビゲーション装置１０によって実現される。ナビゲーション装置１０は、ＣＰＵ、ＲＡＭ、ＲＯＭ等を備える制御部２０を備えており、ＲＯＭに記憶されたプログラムを制御部２０で実行することができる。本実施形態においては、このプログラムの一つとして走行支援プログラム２１を実行可能である。車両には、走行支援プログラム２１によって、所定以上の頻度で車両が駐車される日常駐車道路が駐車禁止となるか否かを判定するために、ＧＰＳ受信部４０、車速センサ４１、ジャイロセンサ４２、ユーザＩ／Ｆ部４３が備えられている。
【００２１】
ＧＰＳ受信部４０は、ＧＰＳ衛星からの電波を受信し、図示しないインタフェースを介して自車両の現在位置を算出するための信号や現在時刻を示す信号を出力する。制御部２０は、この信号を取得して自車両の現在位置および現在時刻を取得する。車速センサ４１は、自車両が備える車輪の回転速度に対応した信号を出力する。制御部２０は、図示しないインタフェースを介してこの信号を取得し、自車両の速度を取得する。ジャイロセンサ４２は、自車両の水平面内の旋回についての角加速度を検出し、自車両の向きに対応した信号を出力する。制御部２０は図示しないインタフェースを介してこの信号を取得し、自車両の走行方向を取得する。車速センサ４１およびジャイロセンサ４２等は、ＧＰＳ受信部４０の出力信号から特定される自車両の現在位置を補正するためなどに利用される。また、制御部２０は、自車両の現在位置を、後述する地図情報３０ａと照合することにより適宜補正する。ユーザＩ／Ｆ部４３は、運転者の指示を入力し、また運転者に各種の情報を提供するためのインタフェース部であり、図示しないタッチパネルディスプレイやスイッチ、スピーカ等を備えている。ユーザＩ／Ｆ部４３は信号を制御部２０から受信し、特定の道路が駐車禁止であることを運転者に対して案内する。
【００２２】
制御部２０は、走行支援プログラム２１を実行することにより、所定以上の頻度で車両が駐車される日常駐車道路が駐車禁止となるか否かを判定する処理を行う。そのため走行支援プログラム２１は、駐車道路特定部２１ａと駐車時走行軌跡取得部２１ｂと走行予測部２１ｃと駐車禁止判定部２１ｄと駐車禁止案内部２１ｅを備えている。また、記憶媒体３０には予め地図情報３０ａと走行軌跡情報３０ｂと駐車道路情報３０ｃとが記録されている。
【００２３】
地図情報３０ａは、車両が走行する道路上に設定されたノードを示すノードデータ、ノード間の道路の形状を特定するための形状補間点データ、ノード同士の連結を示すリンクデータ、路上駐車場（例えばパーキングメーターが設置された道路上の駐車場）の位置データ、時刻毎の駐車の可否（駐車禁止あるいは駐車許可）を示すデータ等を含み、車両の現在位置の取得や走行軌跡の取得、道路に対する駐車可否の特定等に利用される。すなわち、地図情報３０ａにおいては、リンクデータによって定義される所定区間毎に道路が定義されている。なお、本実施形態において、路上駐車場の位置データは、位置データが示す位置が存在する道路を示すリンクデータに対応づけられている。また、リンクデータには、当該リンクデータが示す道路における時刻毎の駐車の可否を示すデータが対応づけられている。
【００２４】
走行軌跡情報３０ｂは、車両の走行軌跡を示すデータであり、本実施形態においては車両が走行した道路の推移に対応するリンクデータの推移を示すデータである。制御部２０は、車両の現在位置と地図情報３０ａとに基づいて走行軌跡を取得し、走行軌跡情報３０ｂに逐次記録し続ける。このため、走行軌跡情報３０ｂは、車両の現在の走行軌跡と過去に車両が走行した走行軌跡の双方を含む。制御部２０は、車両が任意の道路に駐車した時点でそれまでの走行軌跡を当該駐車位置が存在する道路に対応づけて記憶し、駐車道路情報３０ｃとする。
【００２５】
駐車道路情報３０ｃは、車両が駐車した道路である駐車道路を示すデータを含む。駐車道路には、所定以上の頻度で車両が駐車された道路である日常駐車道路が含まれる。このため、駐車道路情報３０ｃにおいて日常駐車道路とそれ以外の駐車道路とを識別するための情報が付加される。本実施形態ではフラグを設定することで日常駐車道路とそれ以外の駐車道路とを識別する。
【００２６】
駐車道路特定部２１ａは、所定以上の頻度で車両が駐車される日常駐車道路を特定する機能を制御部２０に実現させるモジュールである。すなわち、全駐車道路のうち基準と比較して駐車頻度が相対的に高い道路を日常駐車道路として特定する。本実施形態では、所定の期間（例えば、車両の走行軌跡の取得開始から現在までの期間や単位期間）内に所定の回数よりも多数回駐車された道路を日常駐車道路とするが、所定の期間内における全駐車道路の中で駐車回数が他の道路よりも多い道路を日常駐車道路としてもよい。
【００２７】
駐車時走行軌跡取得部２１ｂは、日常駐車道路に車両を駐車した場合における車両の当該日常駐車道路までの走行軌跡を示す駐車時走行軌跡を取得する機能を制御部２０に実現させるモジュールである。本実施形態では車両が日常駐車道路に向かっているか否かを推定する段階で当該日常駐車道路に対応づけて記録媒体に記録されている走行軌跡を駐車時走行軌跡として取得する。なお、駐車時走行軌跡は、所定以上の頻度で車両が駐車される日常駐車道路についての走行軌跡であるため、駐車道路が日常駐車道路であったか否かを記録媒体に記録する時点で特定して記録媒体に記録されてもよいし、全走行軌跡を記録媒体に記録して記録媒体を参照する際に日常駐車道路についての情報を抽出して駐車時走行軌跡としてもよい。取得した駐車時走行軌跡は走行予測部２１ｃに受け渡される。
【００２８】
走行予測部２１ｃは、駐車時走行軌跡と車両の現在の走行軌跡とに基づいて、車両が日常駐車道路に向けて走行しているか否かを判定する機能を制御部２０に実現させるモジュールである。すなわち、駐車時走行軌跡と現在の走行軌跡との類似度に基づいて車両が現在、日常駐車道路に向かって走行しているか否かを判定する。類似度は、両軌跡を構成する車両が走行した道路がどの程度一致しているかによって求められ、例えば駐車時走行軌跡を構成する道路のうち現在の走行軌跡を構成する道路と一致している道路が占める割合によって類似度が決定されてもよい。
【００２９】
駐車禁止判定部２１ｄは、車両が日常駐車道路に向けて走行していると判定された場合、日常駐車道路に車両を駐車させる際に当該日常駐車道路が駐車禁止となっているか否かを判定する機能を制御部２０に実現させるモジュールである。すなわち、運転者が車両を日常駐車道路に駐車させると仮定したときに所定以上の確率あるいは頻度で当該日常駐車道路が駐車禁止となっているか否かを判定する。日常駐車道路が駐車禁止となっているか否かを判定するための基準の時刻として、当該判定が実行される際の現在時刻が用いられる。
【００３０】
駐車禁止案内部２１ｅは、日常駐車道路が駐車禁止となっていると判定された場合、当該日常駐車道路が駐車禁止となることを案内する機能を制御部２０に実現させるモジュールである。運転者への案内は、ユーザＩ／Ｆ４３によって視覚的に行われてもよいし、音声案内によって聴覚的に行われてもよい。むろん、視覚的な案内と聴覚的な案内が同時に行われてもよい。
【００３１】
（２）駐車道路記憶処理：
図２は、駐車道路情報３０ｃに駐車道路の記憶を行う際の処理を示すフローチャートである。制御部２０は、駐車道路特定部２１ａの処理により、車両においてナビゲーション装置の電源スイッチをオンにした後に図２に示す駐車道路記憶処理を実行する。なお、車両が走行している際に制御部２０は駐車時走行軌跡取得部２１ｂの処理により車両の現在位置と地図情報３０ａとに基づいて車両の走行軌跡を逐次取得し、取得した走行軌跡を走行軌跡情報３０ａに記憶させている。
【００３２】
まず、制御部２０は、車両の停車位置が道路上であるか否かを判定する（ステップＳ１００）。すなわち、制御部２０は、駐車道路特定部２１ａの処理により、ＧＰＳ受信部４０，車速センサ４１，ジャイロセンサ４２の出力信号に基づいて車両の現在位置を特定する。図２に示す処理はナビゲーション装置１０の電源スイッチがオンにされた場合に実行されるため、当該現在位置は、当該電源スイッチがオンにされた時点で当該車両が停車していた停車位置である。制御部２０は、地図情報３０ａに基づいて車両の停車位置が道路上であるのかあるいは道路を外れた場所（例えば道路脇の駐車場等）であるのかを判定する。車両の停車位置が道路上でないと判定された場合（ステップＳ１００のＮ）、制御部２０は駐車道路記憶処理を終了させる。
【００３３】
一方、車両の停車位置が道路上であると判定された場合（ステップＳ１００のＹ）、制御部２０は、車両の停車位置が駐車場であるか否かを判定する（ステップＳ１０５）。すなわち、制御部２０は、駐車道路特定部２１ａの処理により、車両の停車位置と地図情報３０ａとに基づいて車両が停止した位置が路上駐車場に該当するか否かを判定する。車両の停車位置が駐車場であると判定された場合（ステップＳ１０５のＹ）、制御部２０は駐車道路記憶処理を終了させる。
【００３４】
車両の停車位置が駐車場でないと判定された場合（ステップＳ１０５のＮ）、制御部２０は、駐車道路特定部２１ａの処理により、車両の停車の期間が所定期間以上か否かを判定する（ステップＳ１１０）。すなわち、制御部２０はナビゲーション装置１０の電源スイッチがオフにされた時刻を記録しておき、当該ナビゲーション装置１０の電源スイッチがオンにされた時刻を取得して両時刻の差分に基づいて停車の期間を特定する。なお、ここでは、所定期間以上の停車を駐車とみなすために当該所定期間を定義している。
【００３５】
車両の停車の期間が所定期間よりも短い場合（ステップＳ１１０のＮ）、制御部２０は駐車道路記憶処理を終了させる。一方、車両の停車の期間が所定期間以上の場合（ステップＳ１１０のＹ）、車両が駐車していたとみなし、制御部２０は、走行軌跡に対応づけて駐車道路を記憶させる（ステップＳ１１５）。すなわち、制御部２０は、駐車道路特定部２１ａの処理により、当該停車位置が存在する道路（リンクデータ）を含む道路である駐車道路とし、当該駐車道路を走行軌跡情報３０ｂとして記録されている停車位置までの走行軌跡（リンクデータの推移）と対応づけ、当該駐車道路を駐車道路情報３０ｃとして記録する。なお、ここで駐車道路に対応づけられる走行軌跡は、車両のエンジンを駆動するとともに電源スイッチをオンにして走行を開始した後、車両を当該駐車道路まで走行させてエンジンを停止させるとともに当該ナビゲーション装置の電源スイッチをオフにして車両の走行を終了するまでの間に走行した道路の推移に対応するリンクデータの推移である。以上の駐車道路記憶処理により、制御部２０は、車両が駐車した全道路の中から一時的に駐車した道路を除外した駐車道路を特定し、記憶させることができる。特定された駐車道路は図３に示す日常駐車道路特定処理において使用される。
【００３６】
図５Ａを例にとり駐車道路記憶処理を説明する。道路は実線で示され、停車位置５０は丸印で示され、破線は車両が停車位置５０に到着するまでの走行軌跡５２を示す。停車位置５０は道路上に位置しているが、路上駐車場には該当しない。車両が停車位置５０に停車された期間は所定期間以上である。従って、制御部２０は、停車位置５０を含む道路は駐車道路とみなされ、走行軌跡５２に対応づけて駐車道路情報３０ｃとして記憶媒体３０に記録される。なお、地図情報３０ａでは停車位置５０を含む道路は、交差点５４と交差点５６の間の道路として定義されており、当該道路が駐車道路５８に該当することになる。
【００３７】
（３）日常駐車道路特定処理：
図３は、日常駐車道路の特定を行う際の処理を示すフローチャートである。制御部２０は、図２に示す処理を実行した後、駐車道路特定部２１ａの処理により、図３に示す日常駐車道路特定処理を実行する。まず、制御部２０は記憶媒体３０を参照して駐車道路情報３０ｃを取得する（ステップＳ２００）。次に、制御部２０は駐車道路毎の駐車回数を特定する（ステップＳ２０５）。すなわち、制御部２０は、駐車道路特定部２１ａの処理により、取得した全駐車道路の情報を参照して各駐車道路に車両が駐車した回数を特定する。
【００３８】
次に、制御部２０は、駐車道路への駐車回数が所定回数以上か否かを判定する（ステップＳ２１０）。すなわち、制御部２０は、駐車道路特定部２１ａの処理により、全駐車道路の中から１つの駐車道路を選択し、当該駐車道路における車両の駐車回数が所定回数以上か否かを判定する。所定回数は予め設定されていればよく、ユーザによって設定された回数が使用されてもよい。
【００３９】
駐車回数が所定回数よりも少ない場合（ステップＳ２１０のＮ）、制御部２０は全駐車道路の処理が終了したか否かを判定する（ステップＳ２２５）。すなわち、制御部２０は、駐車道路特定部２１ａの処理により全駐車道路に対してステップＳ２１０の処理が行われたかを確認する。全駐車道路の処理が終了している場合（ステップＳ２２５のＹ）、制御部２０は日常駐車道路特定処理を終了させる。
【００４０】
一方、全駐車道路の処理が終了していない場合（ステップＳ２２５のＮ）、制御部２０はステップＳ２１０の処理対象を別の駐車道路に変更する（ステップＳ２３０）。すなわち、制御部２０は、駐車道路特定部２１ａの処理により、まだステップＳ２１０の処理が行われていない駐車道路を特定し、当該駐車道路に対してステップＳ２１０の処理を実行する。
【００４１】
ステップＳ２１０に戻り、駐車回数が所定回数以上の場合（ステップＳ２１０のＹ）、制御部２０は、当該駐車道路において駐車禁止と駐車許可とが時刻で変動するか否かを判定する（ステップＳ２１５）。すなわち、制御部２０は、駐車道路特定部２１ａの処理により、駐車道路の状態が時刻によって駐車禁止から駐車許可へと変わったり、駐車許可から駐車禁止へと変わったりするか否かについて地図情報３０ａを参照して確認する。
【００４２】
駐車道路の状態が変動しない場合（ステップＳ２１５のＮ）、制御部２０はステップＳ２２５の処理を行う。一方、駐車道路の状態が変動する場合（ステップＳ２１５のＹ）、制御部２０は当該駐車道路を日常駐車道路として特定する（ステップＳ２２０）。すなわち、制御部２０は、駐車道路特定部２１ａの処理により、駐車禁止と駐車許可の状態が変動する駐車道路を日常駐車道路として特定し、当該駐車道路が日常駐車道路であることを識別するためのフラグを駐車道路情報３０ｃに設定する。その後、制御部２０はステップＳ２２５の処理を行う。なお、日常駐車道路と関連づけられて走行軌跡情報３０ｂに記憶されている走行軌跡が日常駐車道路までの走行軌跡を示す駐車時走行軌跡となる。
【００４３】
以上の日常駐車道路特定処理によれば、制御部２０は、図２の駐車道路記憶処理で特定された駐車道路の中から車両が日常的に駐車される道路であり且つ駐車の可否を示す道路の状態が時刻によって変動する道路を特定することができる。特定された日常駐車道路は図４に示す走行支援処理において使用される。
【００４４】
（４）走行支援処理：
図４は、走行支援を行う際の処理を示すフローチャートである。制御部２０は図４に示す走行支援処理を一定の期間毎に繰り返し実行する。まず、制御部２０は、駐車時走行軌跡を取得する（ステップＳ３００）。すなわち、制御部２０は、駐車時走行軌跡取得部２１ｂの処理により駐車道路情報３０ｃを参照して日常駐車道路を特定し、当該日常駐車道路に関連づけられている駐車時走行軌跡を全て取得する。
【００４５】
次に、制御部２０は、車両の現在の走行軌跡と駐車時走行軌跡の類似度が所定値以上であるか否かを判定する（ステップＳ３０５）。すなわち、制御部２０は、走行予測部２１ｃの処理により全駐車時走行軌跡の中から１つの駐車時走行軌跡を選択し、選択した駐車時走行軌跡と走行軌跡情報３０ｂに記憶されている車両の現在の走行軌跡とを比較して両軌跡がどの程度類似しているかを確認する。なお、現在の走行軌跡は車両のエンジンを駆動するとともに電源スイッチをオンにして走行を開始した後、車両の現在位置までに走行した道路の推移に対応するリンクデータの推移である。従って、ステップＳ３０５においては、現在の走行軌跡を示すリンクデータの推移と、駐車時走行軌跡を示すリンクデータの推移との類似度を判定すればよい。また、所定値は予め設定されていればよく、ユーザによって設定された値が使用されてもよい。
【００４６】
類似度が所定値より小さい場合（ステップＳ３０５のＮ）、制御部２０は、全駐車時走行軌跡の処理が終了したか否かを判定する（ステップＳ３２５）。すなわち、制御部２０は、ステップＳ３００にて取得した全ての駐車時走行軌跡を対象とした処理が終了したか否かを確認する。全駐車時走行軌跡について処理が終了している場合（ステップＳ３２５のＹ）、制御部２０は走行支援処理を終了させる。
【００４７】
一方、全駐車時走行軌跡について処理が終了していない場合（ステップＳ３２５のＮ）、制御部２０はステップＳ３０５の処理対象を別の駐車時走行軌跡に変更する（ステップＳ３３０）。すなわち、制御部２０はまだステップＳ３０５の処理が行われていない駐車時走行軌跡を特定し、当該駐車時走行軌跡に対してステップＳ３０５の処理を実行する。
【００４８】
ステップＳ３０５に戻り、類似度が所定値以上の場合（ステップＳ３０５のＹ）、制御部２０は、駐車禁止判定部２１ｄの処理により、車両の現在位置と地図情報３０ａに基づいて車両の現在位置から日常駐車道路までの距離が所定距離以下であるか否かを判定する（ステップＳ３１０）。所定値は予め設定されていればよく、ユーザによって設定された値が使用されてもよい。
【００４９】
車両の現在位置から日常駐車道路までの距離が所定距離より大きい場合（ステップＳ３１０のＮ）、制御部２０はステップＳ３２５の処理を実行する。一方、車両の現在位置から日常駐車道路までの距離が所定距離以下の場合（ステップＳ３１０のＹ）、制御部２０は、現在時刻において日常駐車道路が駐車禁止であるか否かを判定する（ステップＳ３１５）。すなわち、制御部２０は、駐車禁止判定部２１ｄの処理により、車両が向かっている可能性の高い日常駐車道路の状態が現在時刻において駐車禁止であるか否かについて地図情報３０ａを参照して確認する。
【００５０】
現在時刻において日常駐車道路が駐車禁止でない場合（ステップＳ３１５のＮ）、制御部２０は、ステップＳ３２５の処理を実行する。一方、現在時刻において日常駐車道路が駐車禁止である場合（ステップＳ３２５のＹ）、制御部２０は、駐車禁止を案内する（ステップＳ３２０）。すなわち、制御部２０は、駐車禁止案内部２１ｅの処理により、車両が向かっている可能性の高い日常駐車道路が駐車禁止である旨を運転者に案内する。制御部２０は、ステップＳ３２０を実行した後、ステップＳ３２５を実行する。
【００５１】
以上の走行支援処理によれば、走行予定経路や目的地が設定されていない状態で車両が走行している場合であっても、日常駐車道路に車両を駐車させる際に当該日常駐車道路が駐車禁止になるのであればその旨が案内される。このため、運転者が当該案内に従って日常駐車道路への駐車を避けることによって駐車禁止地域に車両が駐車されることを防止することができる。
【００５２】
さらに、日常駐車道路が駐車禁止ではない状態において運転者が日常的に当該日常駐車道路に車両を駐車させる場合、当該運転者は、当該日常駐車道路が駐車禁止となり得ることや駐車禁止となる時間帯を知らないことが考えられる。しかし、上記の走行支援処理によれば、運転者が日常駐車道路に車両を駐車させる際に駐車禁止となる場合にその旨が案内されるため、日常駐車道路が駐車禁止であるか否かを運転者が熟知していなくても、駐車禁止の状態で日常駐車道路に車両を駐車させることを防止することができる。
【００５３】
図５Ｂを例にとり走行支援処理を説明する。図５Ｂは、車両が日常駐車道路に向けて走行している様子を模式的に示した図である。図５Ａと同じ要素には同一の符号を付し、重複する説明を省略する。図５Ａで説明した駐車道路５８が日常駐車道路特定処理によって日常駐車道路６８と判定されている場合、図５Ａの駐車道路５８に対応づけられている走行軌跡５２は駐車時走行軌跡６２となる。車両の現在位置は、三角形を内包した円状の現在位置マーク６０によって示され、一点鎖線は車両の現在の走行軌跡６４を示す。
【００５４】
制御部２０によって車両の現在の走行軌跡６４と車両の過去の軌跡である駐車時走行軌跡６２との類似度が所定値以上であると判定されると、車両の現在位置と日常駐車道路６８までの距離が算出される。ここでは、当該距離として車両の現在位置から日常駐車道路６８の下端である交差点５６までの直線距離が算出される。この結果、算出された距離が所定距離以下である場合、制御部２０は、現在時刻において日常駐車道路６８が駐車禁止であるかを確認する。すなわち、駐車禁止あるいは駐車許可といった道路の状態はある程度の期間を定めて設定されるのが一般的であり、算出された距離が所定距離以下であれば車両はまもなく日常駐車道路６８に到着し得る。従って、現在時刻を車両が停車位置に停車する際の時刻と想定して駐車禁止か否かを確認する。現在時刻において駐車禁止と判定された場合には、運転者にその旨が案内されることになる。
【００５５】
（５）他の実施形態：
以上の実施形態は本発明を実施するための一例であり、他にも種々の実施形態を採用可能である。例えば、上述の実施形態で日常駐車道路が駐車禁止となっているか否かの判定では、判定の際の基準となる時刻として現在時刻を用いているが、車両が日常駐車道路に到着する時刻として算出された到達予測時刻が用いられてもよい。なお、到達予測時刻は、車両の現在の車速や予測車速等に基づいて車両の現在位置から日常駐車道路に向かって駐車時走行軌跡上を走行した場合の走行時間と現在時刻とに基づいて特定すればよい。
【００５６】
また、上述の実施形態では制御部２０が駐車道路記憶処理の後に日常駐車道路特定処理を実行することで予め日常駐車道路を特定している。しかし、日常駐車道路の情報が必要な際に駐車道路の中から日常駐車道路を特定する構成であってもよい。例えば、走行支援処理において車両の現在位置から日常駐車道路までの距離を算出する際、駐車道路の中から日常駐車道路を特定した上で車両の現在位置から当該日常駐車道路までの距離を算出してもよい。
【００５７】
さらに、上述の実施形態では駐車道路や日常駐車道路の特定の際に、地図情報３０ａに定義されている道路区間を単位として道路を特定する処理がなされるが、同一属性の連続する道路区間毎に特定してもよい。また、日常駐車道路が駐車禁止であることを案内する際に、日常駐車道路の周辺に存在する他の道路であって日常駐車道路と同一属性の他の道路（すなわち、駐車禁止あるいは駐車許可となる時刻が日常駐車道路と同一の他の道路）も駐車禁止となることを案内してもよい。すなわち、日常駐車道路が駐車禁止の場合には、同一属性の他の道路も駐車禁止であるため、その旨を案内することによって日常駐車道路の周囲の駐車禁止道路に車両が駐車されることを防止することができる。
【００５８】
さらに、日常駐車道路が駐車禁止となっているか否かの判定では、日常駐車道路に車両が駐車された駐車時刻を特定し、当該駐車時刻が現在時刻と異なる場合に、日常駐車道路が駐車禁止であるか否か判定する構成としてもよいし、当該駐車時刻が到達予測時刻と異なる場合に、日常駐車道路が駐車禁止であるか否か判定する構成としてもよい。むろん、現在時刻と到達予測時刻の双方と異なる場合に日常駐車道路が駐車禁止であるか否かを判定してもよい。すなわち、駐車時刻は、駐車が許可された状態の日常駐車道路に対して運転者が車両を駐車させた時刻であると推定されるため、現在時刻や到達予測時刻が駐車時刻と異なる場合には、現在時刻や到達予測時刻において日常駐車道路への駐車が禁止されている可能性がある。従って、このような場合に日常駐車道路に対する駐車の可否を判定することで、運転者が駐車禁止状態の日常駐車道路に車両を駐車させることを防止することができる。なお、駐車時刻は、運転者が日常駐車道路に車両を駐車させた時刻の代表値（平均値、中央値など）によって決定してもよいし、運転者が日常駐車道路に車両を複数回駐車させた場合の各時刻であってもよいし、車両を複数回駐車させた場合の各時刻から特定される時間帯であってもよい。
【００５９】
さらに、日常駐車道路が駐車禁止となっているか否かの判定では、日常駐車道路に車両が駐車していた駐車期間を特定し、現在時刻から当該駐車期間が経過するまでの間に日常駐車道路が駐車禁止となるか否かを判定する構成としてもよいし、到達予測時刻から当該駐車期間が経過するまでの間に日常駐車道路が駐車禁止となるか否かを判定する構成としてもよい。むろん、現在時刻と到達予測時刻の双方から駐車期間が経過するまでの間に日常駐車道路が駐車禁止となるか否かを判定してもよい。すなわち、駐車期間は、日常駐車道路において運転者が車両の駐車を継続した期間であるため、運転者が今後、日常駐車道路に車両を駐車させる場合においても車両の駐車が同等の期間継続される可能性が高い。従って、現在時刻や到達予測時刻から駐車期間が経過するまでの間に日常駐車道路が駐車許可の状態から駐車禁止の状態へとなり得るか否かを判定することで、駐車中に駐車禁止の状態へと変動する日常駐車道路に運転者が車両を駐車させることを防止することができる。なお、駐車期間は、運転者が日常駐車道路において車両の駐車を継続した期間の代表値（平均値、中央値など）によって決定してもよいし、運転者が日常駐車道路に車両を複数回駐車させた場合の各時刻から特定してもよい。
【符号の説明】
【００６０】
１０…ナビゲーション装置、２０…制御部、２１…走行支援プログラム、２１ａ…駐車道路特定部、２１ｂ…駐車時走行軌跡取得部、２１ｃ…走行予測部、２１ｄ…駐車禁止判定部、２１ｅ…駐車禁止案内部、３０…記録媒体、３０ａ…地図情報、３０ｂ…走行軌跡情報、３０ｃ…駐車道路情報、４０…ＧＰＳ受信部、４１…車速センサ、４２…ジャイロセンサ、４３…ユーザＩ／Ｆ部、５０…停車位置、５２…走行軌跡、５４、５６…交差点、５８…駐車道路、６０…現在位置マーク、６２…駐車時走行軌跡、６４…現在の走行軌跡、６８…日常駐車道路
【図１】
2010210479.tif 000003
【図２】
2010210479.tif 000004
【図３】
2010210479.tif 000005
【図４】
2010210479.tif 000006
【図５】
2010210479.tif 000007